(57)【要約】【課題】  オフタイマー設定をした特定の利用者にのみ設定変更を許可し、設定時刻に切れた電源を一定の解除時間が経過するまでは再度オンにできないテレビジョン制御装置を提供する。【解決手段】  時計部１９と、入力された暗証番号と自動的に電源をオフにするまでのオフタイマー設定の設定時間とオフタイマー設定を登録した登録時刻とを記憶するメモリ部２０と、メモリ部２０に記憶されている暗証番号と操作要求時に入力された暗証番号とが一致するか否かを判断して正当な利用者により操作がされているか否かを判断する暗証番号判断手段１５ａと、時計部１９で計時する現在時刻とメモリ部２０で記憶する設定時間と登録時刻とを利用して、オフタイマー設定が登録されてから設定時間が経過したか否かを判断する時間判断手段１５ｂとを備え電源制御をする制御部１５とを有する。【選択図】      図１
2005311890.tif 000002
【特許請求の範囲】
【請求項１】
テレビの電源のオフ時刻を一定の解除時間が経過するまでオンできないようにするテレビジョン制御装置において、
現在時刻を計時する時計部と、
オフタイマー設定時に入力された暗証番号と自動的に電源をオフにするまでのオフタイマー設定の設定時間とオフタイマー設定を登録した登録時刻とを記憶するメモリ部と、
前記メモリ部に記憶されている暗証番号と操作要求時に入力された暗証番号とが一致するか否かを判断して正当な利用者により操作がされているか否かを判断する暗証番号判断手段と、前記時計部で計時する現在時刻と前記メモリ部で記憶する設定時間と登録時刻とを利用して、オフタイマー設定が登録されてから設定時間が経過したか否かを判断する時間判断手段とを備え、設定時間が経過したと判断された場合に設定時間経過後に電源をオフにし、また、再び電源をオンにすることが可能な時間に達した場合にのみ電源オンの操作を有効にし、
オフタイマー設定を登録する際には、暗証番号を利用して一定の利用者のみを操作可能に制限する鍵付で設定するか、あるいは、操作する利用者に制限を設けずに鍵なしで設定するかを選択可能にし、
鍵付でオフタイマー設定が登録されている場合に電源がオフにされた際には、予め定められている解除時間が経過していない時間に電源がオンにされた場合には、前記暗証番号判断手段で正当な利用者の操作と判断された場合にのみ電源をオンにする制御部と、
を有することを特徴とするテレビジョン制御装置。
【請求項２】
請求項１に記載のテレビジョン制御装置において、
前記制御部では、利用者の変更及び取消の操作によりメモリ部の設定時間及び登録時刻を新たに記憶操作可能に構成され、
鍵付でオフタイマー設定が登録された状態で変更または取消の操作がされた場合には、前記暗証番号判断手段で正当な利用者の操作と判断された場合にのみ変更または取消がされることを特徴とするテレビジョン制御装置。
【発明の詳細な説明】
【技術分野】
【０００１】
本発明は、オンスクリーン表示機能を備えたテレビジョン受像機のオフタイマー機能を備えるテレビジョン制御装置に関する。
【背景技術】
【０００２】
テレビジョン受像機（以下、テレビと略す）には、利用者の利便性を高めるために、種々の付加機能が設けられている。例えば、現在時刻をテレビ画面に表示する時刻表示機能、予め設定された時刻になるとテレビの電源を自動的に投入して希望のチャンネルを選局するオンタイマー機能、希望時刻にテレビの電源を自動的に切るオフタイマー機能などが良く知られている。
【０００３】
例えば、特許文献１に記載の発明は、現在時刻やオフタイマー時刻、オンタイマー時刻等の設定用の文字画像情報を同時にオンスクリーン表示し、かつ上記画面で上記の各時刻を設定するようにしたテレビの設定方法において、テレビの現時刻のデータをクリアしたときに、既に設定されているタイマー時刻のデータもクリアすることにより、正確なタイマーの動作がなされなくなる問題を解決する技術である。
【０００４】
また、番組を選択して映像の映出を制限し、子供などに変更させないように工夫された技術としては、特許文献２で記載された発明がある。この特許文献２に記載の発明は、リモコンキー操作のときの抵抗値を利用する技術であるが、この発明によれば抵抗値のみに基づいて制御しているため、確実ではない。
【特許文献１】特許２９４０６９８号公報
【特許文献２】特開２００２−２９０８５２号公報
【発明の開示】
【発明が解決しようとする課題】
【０００５】
従来のオフタイマー機能では、テレビの電源を自動的に切る希望時刻を、誰でも自由に変更することができ、設定時刻に切れた電源を誰もが手動でオンにすることができる点で問題があった。
【０００６】
例えば具体的には、現在の制限方法によれば、オフタイマー設定を登録した利用者でなくても、容易に電源をオンにすることが可能である。そのため、子供がテレビを見ることを制限しようとした親がオフタイマー機能を作動させても、電源が自動的にオフにされた後に、容易に子供が電源をオンにすることができるという不具合があった。
【０００７】
そこで本発明はオフタイマーを用いて、テレビの電源を自動的に切る設定時刻を、子供などに変更させないようにすることと、設定時刻に切れた電源を一定の解除時間が経過するまで、そのままでは再度オンできなくすることを目的とする。
【課題を解決するための手段】
【０００８】
上記の目的を達成するために請求項１の発明は、テレビの電源のオフ時間を一定の解除時間が経過するまでオンにできないようにするテレビジョン制御装置において、現在時刻を計時する時計部と、オフタイマー設定時に入力された暗証番号と自動的に電源をオフにするまでのオフタイマー設定の設定時間とオフタイマー設定を登録した登録時刻とを記憶するメモリ部と、前記メモリ部に記憶されている暗証番号と操作要求時に入力された暗証番号とが一致するか否かを判断して正当な利用者により操作がされているか否かを判断する暗証番号判断手段と、前記時計部で計時する現在時刻と前記メモリ部で記憶する設定時間と登録時刻とを利用して、オフタイマー設定が登録されてから設定時間が経過したか否かを判断する時間判断手段とを備え、設定時間が経過したと判断された場合に設定時間経過後に電源をオフにし、また、再び電源をオンにすることが可能な時間に達した場合にのみ電源オンの操作を有効にし、オフタイマー設定を登録する際には、暗証番号を利用して一定の利用者のみを操作可能に制限する鍵付で設定するか、あるいは、操作する利用者に制限を設けずに鍵なしで設定するかを選択可能にし、鍵付でオフタイマー設定が登録されている場合に電源がオフにされた際には、予め定められている解除時間が経過していない時間に電源がオンにされた場合には、前記暗証番号判断手段で正当な利用者の操作と判断された場合にのみ電源をオンにする制御部を有することを特徴としている。
【０００９】
上記構成による本発明によれば、鍵付オフタイマー設定により電源がオフにされた後、予め定められた解除時間が経過する前に電源がオンの操作がされた場合には、正当な利用者であることが確認された場合にのみ有効な操作とし、電源をオンにすることが可能である。
【００１０】
また、請求項２の発明では、請求項１に記載のテレビジョン制御装置において、前記制御部では、利用者の変更及び取消の操作によりメモリ部の設定時間及び登録時刻を新たに記憶操作可能に構成され、鍵付でオフタイマー設定が登録された状態で変更または取消の操作がされた場合には、前記暗証番号判断手段で正当な利用者の操作と判断された場合にのみ変更または取消がされることを特徴としている。
【００１１】
上記構成の本発明によれば、鍵付オフタイマー設定が登録された場合、正当な利用者であることが確認された場合にのみ有効な操作とし、設定の変更と取消を行うことが可能である。
【発明の効果】
【００１２】
本発明によれば、テレビの電源を自動的に切る設定時刻を自由に変更することはできない。また、設定時間でオフにされた電源を予め定められた一定の解除時間が経過するまでは、そのままでは再度オンできない。これにより、子供がずっとテレビを見ている状態を防ぐことができるという効果を得ることができる。
【発明を実施するための最良の形態】
【００１３】
図１に、本発明にかかるテレビジョン受像機のオフタイマー機能を備えるテレビジョン制御装置１０の回路構成を説明するブロック図を示す。
【００１４】
このテレビジョン制御装置１０は、ＢＳチューナー部１１、ＵＨＦ・ＶＨＦチューナー部１２、映像中間周波数回路部（ＶＩＦ部）１３、切替スイッチ１４、制御部１５、グラフィックコントローラー部１６、出力回路部１７、信号加算回路部１８、時計部１９、メモリ部２０、リモコン受信部２１、および主電源回路部２２を備えている。また、このテレビジョン制御装置１０は、信号加算回路部１８を介して、ブラウン管ディスプレイや液晶ディスプレイ等の出力装置２３と接続されている。
【００１５】
ＢＳチューナー部１１及びＵＨＦ・ＶＨＦチューナー部１２は、それぞれ図示しないアンテナを介して受信した電波を周波数変換する機能を有する。また、ＶＩＦ部１３は、ＵＨＦ・ＶＨＦチューナー部１２から受けた信号を、映像信号と音声信号へ変換する機能を有する。切替スイッチ１４は、ＢＳチューナー部１１またはＵＨＦ・ＶＨＦチューナー部１２からの信号を切替える機能を有する。
【００１６】
制御部１５は、マイコン等で構成され、テレビジョン制御装置１０を統括制御する機能を有する。例えば、テレビの主電源のオン・オフ動作の制御、ＢＳチューナー部１１の選局の制御、ＵＨＦ・ＶＨＦチューナー部１２の選局の制御、グラフィックコントローラー部１６の制御、時計部１９を利用したタイマー機能の制御、ブラウン管等の出力装置２３に映す出力の選択の制御等があげられる。
【００１７】
この制御部１５は、暗証番号判断手段１５ａと時間判断手段１５ｂとを有している。また、制御部１５は、この他にも様々な機能を有しているが、図１では省略している。
【００１８】
暗証番号判断手段１５ａは、鍵付オフタイマー設定がされている場合に暗証番号比較を必要とする操作があった際には、入力された暗証番号を後に説明するメモリ部２０内のオフタイマー設定テーブル２０ａに記憶される暗証番号と一致するか否かを判断する機能を有している。この暗証番号判断手段１５ａの判断結果に基づいて、正当な利用者あるいは不当な利用者のいずれにより電源オン操作が行われたかを判断している。
【００１９】
また、時間判断手段１５ｂでは、オフタイマー制御のための時間経過の判断を行う機能を有している。具体的な判断の方法について、以下に説明する。リモコン３０によりオフタイマー設定の要求であるオフタイマー設定登録信号が送信されてリモコン受信部２１で受信すると、制御部１５ではオフタイマー時間設定が登録される。その後、オフタイマー時間が設定されると、オフタイマー設定テーブル２０ａには、オフタイマー設定が登録された登録時刻と設定された設定時間とが記憶されて、タイマー機能の動作が開始する。ここで、設定時間が経過した場合にテレビジョン制御装置１０の電源はオフにされるが、この電源オフの動作は、この時間判断手段１５ｂで時計部１９と後に説明するメモリ部２０内のオフタイマー設定テーブル２０ａで記憶される登録時刻及び設定時間に基づいて行われる。
【００２０】
なお、このオフタイマー設定には、後に説明するＧＵＩ情報記憶手段に記憶されるデータを利用して、グラフィックコントローラー部１６で生成された文字情報を含むオンスクリーン表示が出力装置２３に表示されて利用される。
【００２１】
グラフィックコントローラー部１６はディスプレイ等の出力装置２３に出力するＧＵＩ表示のための信号を生成する機能を有する。具体的に、このグラフィックコントローラー部１６では、出力回路部１７からの水平垂直同期信号に基づいたタイミングで、メモリ部２０内のＧＵＩ情報記憶手段２０ｂで記憶する情報に基づき、表示のために必要な信号を出力装置２３に表示させるために生成して出力している。
【００２２】
出力回路部１７は、制御部１５の操作に基づき、切替スイッチ１４で選択された信号を出力する機能を有する。
【００２３】
信号加算回路部１８は、出力回路部１７からの信号とグラフィックコントローラー部１６からの信号とを加算して出力装置２３に出力するための信号を作成する機能を有する。
【００２４】
時計部１９は、時計機能を備える。テレビジョン制御装置１０においては、この時計機能に基づき、オンタイマー機能やオフタイマー機能等のタイマー機能が実現される。
【００２５】
メモリ部２０は、時間情報や暗証番号やＧＵＩ表示のための情報を含め、テレビジョン制御装置１０で必要とする情報を記憶する機能を有する。そのため、メモリ部２０は、オフタイマー設定テーブル２０ａとＧＵＩ情報記憶手段２０ｂを有している。
【００２６】
オフタイマー設定テーブル２０ａは、例えば図２に示すように、設定時刻、設定時間、鍵付・鍵なし、暗証番号が記憶されるように構成されている。この図２に示す例では、鍵付フラグが「０」の場合には、オフタイマー設定が鍵付でされたことを示している。また、鍵付フラグが「１」の場合には、オフタイマー設定が鍵なしでされたことを示している。
【００２７】
オフタイマー設定テーブル２０ａに記憶される設定時刻としては、オフタイマー設定が登録された際の時間情報を時計部１９により取得されている。また、設定時間としては、オフタイマー設定が登録されてから、オフタイマーが作動して電源がオフにされるまでの時間が記憶される。
【００２８】
オフタイマー設定テーブル２０ａの暗証番号としては、利用者により本発明にかかるオフタイマー機能を鍵付で利用する際に入力された暗証番号を記憶している。この暗証番号は、変更・取消を行う場合や、オフタイマーで電源がオフにされた後に再び電源がオンされた場合に、これらの操作をしている利用者が正当な利用者であるか否かを判断する際に使用する。
【００２９】
たとえば、図２（ａ）で示しているのは、鍵付で設定された場合のオフタイマー設定テーブル２０ａの例である。この図２（ａ）に示す例では、オフタイマー設定がされた設定時刻が「１８：００」であり、この設定時間から設定時間である「６０分」が経過した後に、オフタイマーが作動して自動的に電源がオフにされる設定である。また、この例では、利用者から入力された暗証番号として「３７３３」が記憶されている。
【００３０】
このような図２（ａ）設定がされた場合には、オフタイマー設定を変更・取消をする場合や、電源がオフにされた後に予め定められた一定の解除時間が経過する前に再び電源をオンにする場合には、暗証番号である「３７３３」を入力しないと操作は無効になり、設定の変更・取消や、電源オンにすることはできない。
【００３１】
また、図２（ｂ）は、鍵なしで設定された場合のオフタイマー設定テーブル２０ａの例である。この図２（ｂ）に示す例では、オフタイマーが設定された時刻が「１４：００」であり、設定時間である「１２０分」後に、オフタイマーが作動して自動的に電源がオフにされる設定である。この例では暗証番号は設定されていない。そのため、オフタイマー設定の変更・取消をする場合や、電源がオフにされた後に解除時間が経過する前に再び電源をオンにする場合であっても、暗証番号を入力せずに行うことができる。
【００３２】
ＧＵＩ情報記憶手段２０ｂは、オフタイマー設定を行う際に出力装置２３に表示するオフタイマー設定画面をグラフィックコントローラー部１６で生成するために必要な情報を記憶している。このオフタイマー設定画面については、後に説明する。
【００３３】
また、メモリ部２０は、オフタイマー設定テーブル２０ａで記憶されている暗証番号や時間情報、ＧＵＩ情報記憶手段で記憶されているＧＵＩ情報等の他にも必要な情報を記憶しているが、図１においては省略している。
【００３４】
リモコン受信部２１は、図３に示す外部のリモコン３０からの信号を受信する機能を有する。また、主電源回路部２２は、テレビジョン制御装置１０の主電源のオン・オフ機能を有する。
【００３５】
図３に示すのは本発明に係るオフタイマー機能を備えるテレビジョン制御装置１０を操作するためのリモートコントロール（以下、リモコンと略す）３０の構成図である。
【００３６】
このリモコン３０は、通常のテレビで使用されるリモコンであり、通常の電源ボタンやチャンネルの選択ボタン等に加え、オフタイマーキー３１、上カーソルキー３２、右カーソルキー３３、下カーソルキー３４、左カーソルキー３５、決定キー３６を備えている。
【００３７】
オフタイマーキー３１を押下することにより、オフタイマー設定登録信号がテレビジョン制御装置１０のリモコン受信部２１で受信され、制御部１５では、オフタイマー設定が要求されていることが判断され、オフタイマー設定動作が開始される。
【００３８】
オフタイマー設定動作が開始されると出力装置２３には、オフタイマー設定画面が表示される。各カーソルキー３２〜３５は、利用者がオフタイマー設定画面において、希望の動作を選択するために利用する。また、オフタイマー設定画面で操作要求が選択された場合には、決定キー３６を押下することによって動作が決定される。
【００３９】
次に、図４乃至図６を用いて、本発明にかかるテレビジョン制御装置１０のオフタイマー設定動作について説明する。図４及び図５に示すのは、オフタイマー設定の主要動作を説明するためのフローチャートである。また、図６に示すのは、ＧＵＩの主要動作を説明するための表示画面群の一例である。
【００４０】
図４のフローチャートに示すように、最初に、出力装置２３がオンスクリーン表示のない通常画面の状態において、リモコン３０のオフタイマーキー３１が押されると、オフタイマー設定登録信号がリモコン受信部２１に入力される。リモコン受信部２１にオフタイマー設定登録信号が入力されたことが制御部１５で確認されると（Ｓ１０１）、オフタイマー設定動作が開始されて出力装置２３にオフタイマー設定画面１００を表示させ、利用者に希望する操作を選択させる（Ｓ１０２）。
【００４１】
このオフタイマー設定画面１００は、例えば図６（ａ）に示すものがある。このオフタイマー設定画面１００は、メモリ部２０のＧＵＩ情報記憶手段２０ｂに記憶されている情報に基づいて、グラフィックコントローラー部１６で生成される。
【００４２】
図６（ａ）に示すオフタイマー設定画面１００について説明する。オフタイマー設定画面１００には、「鍵付設定」表示２００、「鍵なし設定」表示２０１、「変更・取消」表示２０２、「暗証番号」表示２０３、「設定時間」表示２０４が表示される。
【００４３】
ここで、「鍵付設定」表示２００は、鍵付オフタイマー設定を操作するための表示であり、「鍵なし設定」表示２０１は、鍵なしオフタイマー設定を操作するための表示であり、また、「変更・取消」表示２０２は、設定の変更や取消しを操作するための表示である。さらに、「暗証番号」表示２０３は、暗証番号の入力設定を操作するための表示であり、「設定時間」表示２０４は、オフタイマー時間の設定を操作するための表示である。
【００４４】
ステップＳ１０２でオフタイマー設定画面１００を出力装置２３に表示することで、利用者に対して設定操作についての選択が促される。利用者は、希望する操作をリモコン３０を用いて指定する。利用者により希望する操作が選択されてリモコン３０からの操作指示信号がリモコン受信部２１に入力されると、制御部１５ではいずれの操作が要求されたかが確認される（Ｓ１０３）。以下に、操作の選択の手順について、説明する。
【００４５】
＜鍵付設定＞
まず、オフタイマー設定画面１００において「鍵付設定」が選択され、鍵付オフタイマー設定をする場合について説明する。
【００４６】
ステップＳ１０２の状態では、出力装置２３に表示されているオフタイマー設定画面１００には「鍵付設定」表示２００の下に、カーソル線２０５が表示されている。これにより、利用者に鍵付オフタイマー設定を行うか否かの操作が促されている。
【００４７】
ここで、利用者が鍵付オフタイマー設定を行うことを希望する場合には、カーソル線２０５が「鍵付設定」表示２００の下に表示された状態でリモコン３０の決定キー３６を押下することで、鍵付設定操作指示信号が送信される。この鍵付設定操作指示信号がリモコン受信部２１で受信されると、制御部１５において鍵付設定が登録される。この場合には、オフタイマー設定テーブル２０ａの鍵付フラグには、図２（ａ）の例で示しているように、「０」が登録される。
【００４８】
鍵付オフタイマー設定が登録された場合には、出力装置２３には図６（ｂ）に示すオフタイマー設定画面１０１が表示される。鍵付オフタイマー設定が登録されたオフタイマー設定画面１０１では、「鍵付設定」表示２００の色が変わる等により、鍵付設定が登録されたことが確認できるようにされている。
【００４９】
また、このオフタイマー設定画面１０１についても、オフタイマー設定画面１００と同様にＧＵＩ情報記憶手段２０ｂに記憶されている情報に基づいてグラフィックコントローラー部１６で生成される。
【００５０】
鍵付オフタイマー設定が登録されたオフタイマー設定画面１０１では、「暗証番号」表示２０３の各ボックス下に、カーソル線２０６が表示される。これにより、利用者に暗証番号の入力が促されている。
【００５１】
図６に示す実施例においては、暗証番号は４桁として説明するが、４桁に限られる必要はない。「暗証番号」表示２０３では、４桁ある暗証番号のうち、一桁ずつ番号を設定する。例えば、まず始めに「暗証番号」表示２０３の左端のボックス２０３ａを決定するが、この操作はリモコン３０の各カーソルキー３２〜３５を利用して行われる。各カーソルキー３２〜３５を操作することでボックス２０３ａには０〜９までの数字が順次表示されるので、所望の数字のところで止める。これにより、ボックス２０３ａに表示されている左端の一桁が決定される。
【００５２】
また、左端のボックス２０３ａの一桁目が決定されると、リモコン３０の右カーソルキー３３を押下することでカーソル線２０６はボックス２０３ｂの下に表示される。ここでもボックス２０３ａで決定した場合と同様の方法で数字を選択して決定する。また、ボックス２０３ｃ、２０３ｄについても同様に数字を選択して決定キー３６を押下することで４桁の暗証番号の入力が終了するこの処理で決定された暗証番号は、リモコン受信部２１と制御部１５を介して、オフタイマー設定テーブル２０ａに記憶される。（Ｓ１０４）。
【００５３】
例えば、暗証番号として、「３７３３」が入力された場合には、オフタイマー設定テーブル２０ａには、図２（ａ）に示す例のように、「３７３３」が記憶される。また、ここで記憶された暗証番号は後に変更・取消の処理や、電源がオフにされた後に電源をオンにする場合に利用される。
【００５４】
暗証番号の入力が終了すると、出力装置２３には、図６（ｃ）に示すオフタイマー設定画面１０２が表示される。このオフタイマー設定画面１０２では、「設定時間」表示２０４に付随するボックス２０４ａの下に、カーソル線２０７が表示される。このとき、リモコン３０の上下カーソルキー３２，３４の操作により、ボックス２０４ａには例えば、「３０、６０、９０、１２０」のようにオフタイマーの設定時間が順次表示される。利用者はこのボックス２０４ａに表示される時間の中から、所望の数字を選択して決定キー３６を押下することでオフタイマーの設定時間を決定する。この決定された設定時間操作指示信号がリモコン３０から送信され、リモコン受信部２１で受信した場合には、オフタイマーの設定時間として制御部１５で設定されてオフタイマー設定テーブル２０ａに記憶される（Ｓ１１０）。
【００５５】
また、この設定時間と共に現在の時刻が、登録時刻としてオフタイマー設定テーブル２０ａに記憶される。たとえば、現在時刻が「１８：００」であり、設定時間としてボックス２０４ａで「６０」分を選択した場合には、オフタイマー設定テーブル２０ａには、図２（ａ）に示す例のように記憶される。
【００５６】
時計部１９で計時されている時間とこのオフタイマー設定テーブル２０ａに記憶した設定時刻と設定時間とに基づいて、時間判断手段１５ｂにおいて電源をオフにするか否かの判断がされ、テレビジョン制御装置１０の電源のオフが操作される。
【００５７】
また、ボックス２０４ａには数字とともに「オフ」という表示もされるが、この「オフ」の表示は、後に説明する設定の取消の操作の際に利用される。
【００５８】
ステップＳ１１０で設定時間の選択が終了すると、出力装置２３には、図６（ｄ）で示すように設定がされたオフタイマー時間画面１０３が数秒間表示された後、図６（ｅ）で示すように、タイマーの残り時間を「残時間」表示２０８として表示する（Ｓ１１１）。
【００５９】
時計部１９で計時されている現在時刻とオフタイマー設定テーブル２０ａに記憶されている設定時間と設定時間とに基づいて、時間判断手段１５ｂにおいて判断されることによって、設定された時間が経過したか否かが確認される（Ｓ１１２）。ここで、設定時間が経過したと判断されたときには電源がオフにされて（Ｓ１１３）、待機モードとなる（Ｓ１１４）。
【００６０】
一方、時間判断手段１５ｂにおいて、設定した時間が経過していないことが判断された場合にはステップＳ１１１に戻り、電源がオフにされるまでの残り時間が「残時間」表示２０８として出力装置２３に表示される。
【００６１】
鍵付オフタイマー設定がされた場合には、このように、図６（ａ）〜（ｅ）に示したオフタイマー設定画面１００〜１０４が表示される。また、これらの各オフタイマー設定画面１００〜１０４は、メモリ部２０で記憶している情報に基づいて、グラフィックコントローラー部１６で生成されてブラウン管ディスプレイ等の出力装置２３に出力される。
【００６２】
なお、本実施例においては、ボックス２０３ａ〜２０３ｄまた、ボックス２０４ａに数字が表示されて選択するように記載したが、このように数字を選択する方法に限られず、リモコン３０から数字を直接入力する方法であっても良い。
【００６３】
また、本実施例では、「残時間」表示２０８として電源がオフにされるまでの残り時間が表示されているが、電源がオフにされるまでの残り時間に限られるものではなく、電源オフ設定がされてからの経過時間を表示するように表示するものであっても良い。
【００６４】
＜鍵なし設定＞
次に、オフタイマー設定画面１００において「鍵なし設定」が選択され、鍵なしオフタイマー設定をする場合について説明する。
【００６５】
鍵なしオフタイマー設定をする際には、図６（ａ）に示すオフタイマー設定画面１００にあるときに、「鍵付設定」表示２００の下に表示されるカーソル線２０５をリモコン３０の右カーソルキー３３を押下して、「鍵なし設定」表示２０１の下に表示させて鍵なし設定を選択した状態で決定キー３６を押下することで、リモコン３０からは、鍵なし設定操作指示信号が出力される。この鍵なし設定操作指示信号がリモコン受信部２１で受信されると、制御部１５では、鍵なし設定が登録される。
【００６６】
ステップＳ１０３において、制御部１５では、鍵なし設定が登録されたことを判断すると、出力装置２３には、図６（ｆ）に示されるオフタイマー設定画面１０５が表示される。このオフタイマー設定画面１０５にいて、鍵付設定の場合と同様にタイマー時間を設定し、オフタイマー設定が作動する（Ｓ１１０〜１１４）。
【００６７】
鍵なしオフタイマー設定がされた場合のオフタイマー設定テーブル２０ａは、例えば図２（ｂ）に示すものがある。鍵なしオフタイマー設定の場合には、鍵付フラグとして「１」が記憶される。また、設定時刻と設定時間については、鍵付オフタイマー設定の場合と同様に記憶される。
【００６８】
＜変更・取消＞
次に、オフタイマー設定画面１００において「変更・取消」が選択され、既にされたオフタイマー設定を、変更または取消しする場合の処理について説明する。
【００６９】
オフタイマー設定の変更または取消しをする場合には、右カーソルキー３３の操作により「変更・取消」表示２０２の下にカーソル線２０５を移動することで「変更・取消」表示２０２を選択し、決定キー３６を押下すると、リモコン３０からは変更・取消操作指示信号が送信される。リモコン受信部２１でこの変更・取消操作指示信号を受信する。
【００７０】
ステップＳ１０３において、制御部１５で「変更・取消」が選択されたことが確認されると、変更または取消を行うオフタイマー設定が「鍵付設定」と「鍵なし設定」のうちのいずれで設定されたか確認される（Ｓ１０５）。鍵付設定であるか鍵なし設定であるかの判断は、オフタイマー設定テーブル２０ａの鍵付フラグを参照することで、確認することができる。
【００７１】
オフタイマー設定テーブル２０ａを参照した結果、鍵付フラグとして「０」が記憶されていた場合には、変更・取消を行う対象のオフタイマー時間設定が鍵付設定でされたということである。鍵付設定であることが確認された場合には、出力装置２３には、図６（ｇ）に示すオフタイマー設定画面１０６が表示される。
【００７２】
鍵付設定でオフタイマー設定がされている場合には、変更・取消の制御が行われる際には暗証番号の入力が必要であるため、オフタイマー設定画面１０６では、「暗証番号」表示２０３のボックス２０３ａの下にカーソル線２０６が表示され、暗証番号の入力が促される。暗証番号の入力と決定は上述したステップＳ１０４と同様の手順で行われる（Ｓ１０６）。
【００７３】
ステップＳ１０６において暗証番号が入力されると、入力された暗証番号が正しいか否かが判断される（Ｓ１０７）。この判断では、今回入力された暗証番号が、以前オフタイマー設定を登録した際に入力されてメモリ部２０のオフタイマー設定テーブル２０ａに記憶されている暗証番号と一致するか否かが確認される。暗証番号が一致した場合には、正当な利用者であると判断される。また、この場合には、オフタイマー設定画面１０２が出力装置２３に表示され、設定時間表示の下にカーソル線２０７が表示される。
【００７４】
利用者がこのオフタイマー設定画面１０２において、変更するオフタイマー時間を新たに選択することで、新たなオフタイマー時間を設定する（Ｓ１１０）。このオフタイマー設定の方法については、上述したとおりである。また、オフタイマー設定時間が変更された場合には、この新たに設定されたオフタイマー時間を、オフタイマー設定テーブル２０ａの記憶されている設定時間と書き換える。
【００７５】
ここで、利用者がオフタイマー時間の変更を操作するのではなく、オフタイマー設定を取り消しする場合には、設定時間の選択の際に設定時間の変わりに、「設定時間」表示に付随するボックス２０４ａにおいて、「オフ」を選択して決定キーを押下することで、先に行われたオフタイマー設定の取消が登録される。この場合には、オフタイマー設定が取消されるため、オフタイマー設定テーブル２０ａで記憶されているデータは全て取消される。
【００７６】
一方、ステップＳ１０６において、暗証番号判断手段１５ａで、入力された暗証番号を設定時に入力されオフタイマー設定テーブル２０ａに記憶される暗証番号と比較した際に（Ｓ１０７）、一致しなかった場合には、不正な利用者により操作が行われたと判断され、利用者に再度暗証番号の入力を促す。
【００７７】
ここで、再度、利用者に暗証番号の入力が促される際には、誤った暗証番号が規定された回数以上（例えば５回以上）の暗証番号の入力が既にされたか否が確認される（Ｓ１０８）。これは、正当な利用者によって入力される際に誤った番号が入力されたのか、あるいは不正な利用者によって暗証番号が入力されたのかを判断するためである。
【００７８】
このように、ステップＳ１０８において誤った暗証番号が入力された場合には、暗証番号の不一致が繰り返され、規定された回数入力のやり直しがされても、入力された暗証番号が設定時のものと一致しなかった場合には、不正な操作が行われているとみなされ、変更取消の操作は強制終了される。
【００７９】
一方、ステップＳ１０８において、誤った暗証番号が入力された回数が、規定の回数に達していない場合には、ステップＳ１０６に戻り、出力装置２３には図６（ｇ）に示すオフタイマー設定画面１０６が表示されて利用者に暗証番号の入力が促され、ステップＳ１０６〜Ｓ１０８の処理が繰り返される。
【００８０】
また、ステップＳ１０３においてオフタイマー時間の変更・取消が選択されたことが判断され、対象となるオフタイマー時間が鍵なし設定で登録されていた場合には（Ｓ１０５）、図６（ｈ）に示すオフタイマー設定画面１０７が出力装置２３に表示され、オフタイマーの設定時間を変更することが可能になる。
【００８１】
このオフタイマーの設定時間の変更はステップＳ１１０で説明した時間設定と同様の手順で行われ、新たに設定した設定時間がオフタイマー設定テーブル２０ａに記憶されている設定時間に上書きされて記憶される。また、タイマーの残り時間は「残時間」表示２０８として出力装置２３に表示される（Ｓ１１１）。
【００８２】
なお、オフタイマー設定を取り消す場合には、設定時間の選択の際に設定時間を選択するのに代えて、「オフ」を選択して決定キー３６を押下することで、先に行われたオフタイマー設定を取り消すことができる。ステップＳ１１０でオフタイマー時間設定が登録され、設定時間が経過して電源がオフとなった場合には、次の電源オンまで待機モードになる（Ｓ１１２〜Ｓ１１４）。
【００８３】
＜電源入力動作＞
ステップＳ１１４の待機モードにおいて、電源キーの入力があったことが制御部１５で判断されると（Ｓ１１５）、オフタイマー設定がされているか否かが確認される（Ｓ１１６）。ここで、オフタイマー設定がされていない場合には、電源をオンにしても問題はないので、電源がオンにされる（Ｓ１１７）。
【００８４】
ステップＳ１１６で、時間判断手段１５ｂにおいてオフタイマー設定がされていることが確認された場合には、電源がオフ（ステップＳ１１３）にされてから予め定められている解除時間が経過したか否かが判別される（Ｓ１１８）。ここで、解除時間が経過していた場合には、テレビジョン制御装置１０の電源はオンにされる（Ｓ１１７）。
【００８５】
この解除時間としては、予め６０分などのように設定されていてもよく、また、オフタイマー設定を登録する際に、設定してオフタイマー設定テーブル２０ａに記憶してもよい。
【００８６】
一方、ステップＳ１１８において、予め定められる解除時間が経過していないことが判断された場合には、鍵付オフタイマーで電源がオフにされたか否かが確認される（Ｓ１１９）。これも、オフタイマー設定テーブル２０ａの鍵付フラグを確認することで行うことができる。
【００８７】
ステップＳ１１９で鍵付オフタイマー設定であるか否かを確認した場合に、鍵付オフタイマーでオフにされていなかった場合には、テレビジョン制御装置１０の電源はオンにされる（Ｓ１１７）。
【００８８】
また、ステップＳ１１９において、鍵付オフタイマーで電源がオフにされていたことが確認された場合には、出力装置２３にオフタイマー設定画面１０８を出力装置２３に表示して、利用者に設定時に入力した暗証番号を入力させる（Ｓ１２０）。暗証番号の入力については、上述したステップＳ１０４の処理と同様に、ボックス２０３ａ〜２０３ｄについて、一桁づつ数字を選択する方法により行われる。
【００８９】
ステップＳ１２０において暗証番号が入力されると、利用者に入力された暗証番号が、設定時に入力されてオフタイマー設定テーブル２０ａで記憶されている暗証番号と一致するか否かが暗証番号判断手段１５ａで確認される（Ｓ１２１）。ここで利用者に入力された暗証番号がオフタイマー設定テーブル２０ａで記憶される暗証番号と一致した場合には、正当な利用者によって電源オン操作が行われたと判断して、テレビジョン制御装置１０の電源はオンにされる（Ｓ１１７）。
【００９０】
また、ステップＳ１２１の処理において、利用者に入力された暗証番号が、オフタイマー設定テーブル２０ａで記憶されている暗証番号と一致しない場合には、ステップＳ１０８の場合と同様に、誤った暗証番号の入力が、規定回数以上行われたか否かが確認される（Ｓ１２２）。
【００９１】
ここで、暗証番号の誤入力が規定回数されていなかった場合には、ステップＳ１１９に戻り、再びオフタイマー設定画面１０８が表示され、ステップＳ１０６〜Ｓ１０８の処理と同様に、暗証番号の入力と確認が繰り返される（Ｓ１２０〜Ｓ１２２）。
【００９２】
ステップＳ１２２において、規定回数以上の暗証番号のご入力がされていたことが確認された場合には、不正な利用者により操作が行われていると判断され、電源オンの操作は強制終了される（Ｓ１２３）。
【００９３】
＜変形例＞
上述した実施例においては、利用者はオフタイマー設定を登録した「設定時刻」とオフタイマーが作動するまでの「設定時間」を入力してオフタイマー設定テーブル２０ａに記憶している。しかし、「設定時刻」と「設定時間」の変わりにオフタイマーを作動させる「終了時刻」を入力させて利用することもできる。
【００９４】
この変形例では、具体例として図２に示すオフタイマー設定テーブル２０ａに代えて、図７に示すオフタイマー設定テーブル２０ｃを有している。オフタイマー設定テーブル２０ｃには、終了時刻、鍵付フラグ及び暗証番号が記憶されるように構成され、上述した実施例と同様に作動している。
【００９５】
この変形例の場合には、図４に示すステップＳ１１２では、時計部１９で計時されている「現在時刻」とオフタイマー設定テーブル２０ｃに記憶される「終了時刻」とを時間判断手段１５ｂで確認する。ここで、現在時刻と終了時刻とが一致した場合には、電源がオフにされる（Ｓ１１３）。
【００９６】
図７（ａ）に示すオフタイマー設定テーブル２０ｃは、図２（ａ）に示すオフタイマー設定テーブル２０ａと同様の操作を行うデータを有する。また、図７（ｂ）に示すオフタイマー設定テーブル２０ｃは、図２（ｂ）に示すオフタイマー設定テーブルと同様の操作を行うデータを有する。
【図面の簡単な説明】
【００９７】
【図１】本発明にかかるオフタイマー設定機能を有するテレビジョン制御装置の構成を示すブロック図である。
【図２】本発明にかかるオフタイマー設定機能を有するテレビジョン制御装置で記憶されるオフタイマー設定テーブルの一例を示す図である。
【図３】本発明にかかるオフタイマー設定機能を有するテレビジョン制御装置を外部から操作するリモコンの構成図である。
【図４】本発明にかかるオフタイマー設定を登録する際の動作を示すフローチャートである。
【図５】図４に続いて、オフタイマー設定で電源をオンにする際の動作を示すフローチャートである。
【図６】本発明にかかるオフタイマー設定の際に、表示される画面例を示す図である。
【図７】本発明にかかるオフタイマー設定機能を有するテレビジョン制御装置で記憶されるオフタイマー設定テーブルの変形例を示す図である。
【符号の説明】
【００９８】
１０…テレビジョン制御装置
１１…ＢＳチューナー部
１２…チューナー部
１３…ＶＩＦ部
１４…切替スイッチ
１５…制御部
１５ａ…暗証番号判断手段
１５ｂ…時間判断手段
１６…グラフィックコントローラー部
１７…出力回路部
１８…信号加算回路部
１９…時計部
２０…メモリ部
２０ａ…オフタイマー設定テーブル
２０ｂ…ＧＵＩ情報記憶手段
２０ｃ…オフタイマー設定テーブル
２１…リモコン受信部
２２…主電源回路部
２３…出力装置
３０…リモコン
３１…オフタイマーキー
３２…上カーソルキー
３３…右カーソルキー
３４…下カーソルキー
３５…左カーソルキー
３６…決定キー
１００〜１０７…オフタイマー設定画面
２０３ａ〜２０３ｄ…ボックス
２０４ａ…ボックス
２０５〜２０７…カーソル線
【図１】
2005311890.tif 000003
【図２】
2005311890.tif 000004
【図３】
2005311890.tif 000005
【図４】
2005311890.tif 000006
【図５】
2005311890.tif 000007
【図６】
2005311890.tif 000008
【図７】
2005311890.tif 000009